【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
装置本体に固定された固定ガイド部と、
前記固定ガイド部に対向して配置された第１のガイド部と、
前記固定ガイド部に対向し、且つ前記第１のガイド部とシート搬送方向に並設された第２のガイド部と、を有し、
前記固定ガイド部と前記第１のガイド部と前記第２のガイド部とによってシートが搬送されるシート搬送路が形成され、前記第１のガイド部と前記第２のガイド部とがそれぞれ独立に移動可能なシート搬送装置であって、
前記シート搬送路を開放するように前記第１のガイド部を移動させる際に、前記第２のガイド部を前記固定ガイド部から離間するように移動させる移動機構を備えた、
ことを特徴とするシート搬送装置。
【請求項２】
前記第１のガイド部と一体に回動可能に前記装置本体に支持され、前記第１のガイド部を開閉するアームを備え、
前記移動機構は、前記第２のガイド部の一端を前記アームに対して回動可能に支持する支持部と、
前記第２のガイド部の一端に設けられた当接部と、
前記装置本体に設けられ、前記当接部が当接可能な被当接部と、を有し、
前記アームを回動させて前記第１のガイド部を開放している過程で前記当接部が前記被当接部に当接した際に、前記第２のガイド部の他端を前記固定ガイド部から離間する方向に移動させるように、前記支持部を中心に前記アームに対して前記第２のガイド部が回動される、
ことを特徴とする請求項１に記載のシート搬送装置。
【請求項３】
前記第１のガイド部は、前記第２のガイド部の一端側に配置され、且つ前記第２のガイド部の他端側に位置する回動中心を中心に回動自在に支持され、
前記移動機構は、前記シート搬送路を開放するように前記第１のガイド部を回動させた際に、前記第２のガイド部の他端が前記固定ガイド部から離間するように、前記第２のガイド部を回動させる、
ことを特徴とする請求項１に記載のシート搬送装置。
【請求項４】
前記移動機構は、前記第１のガイド部に設けられたガイド当接部と、
前記第２のガイド部に設けられ、前記ガイド当接部が当接可能な被ガイド当接部と、
前記ガイド当接部が前記被ガイド当接部に当接した際に、前記第２のガイド部が前記固定ガイド部から離間する方向にスライドするように前記第２のガイド部を案内する案内部と、を有する、
ことを特徴とする請求項１に記載のシート搬送装置。
【請求項５】
前記第１のガイド部に設けられ、前記第１のガイド部と一体に回動可能に前記装置本体に支持され、前記第１のガイド部を開閉するアームを備え、
前記アームは、前記第１のガイド部に固定される固定部と、前記固定部から延出し、前記固定ガイド部から離間する方向に屈曲して回動可能に前記装置本体に支持される延出部と、を有する、
ことを特徴とする請求項１に記載のシート搬送装置。
【請求項６】
搬送されるシートをガイドする第１のガイド部と、
前記第１のガイド部がガイドするシートの面と同じ面をガイドする第２のガイド部と、
前記第１のガイド部及び前記第２のガイド部を保持するアームと、
第１の回動中心を中心に前記アームを回動自在に支持するフレームと、
前記第２のガイド部と突き当たる突き当て部と、を備え、
前記突き当て部は、前記アームと前記第１のガイド部と前記第２のガイド部とを一体的に前記第１の回動中心を中心にして回動させている途中で、前記第２のガイド部が突き当る位置に配置され、
前記アームは、前記第１の回動中心を中心とした回動動作で前記第２のガイド部が前記突き当て部に突き当たり押圧されて第２の回動中心を中心に回動するよう、前記第２のガイド部を回動自在に支持している、
ことを特徴とするシート搬送装置。
【請求項７】
前記第１のガイド部及び前記第２のガイド部と対向する固定ガイド部を備え、
前記第１のガイド部は、前記第２のガイド部の一端側に配置され、
前記第１の回動中心は、前記第２のガイド部の他端側に位置し、
前記突き当て部は、前記シート搬送路を開放するように前記第１のガイド部を前記第１の回動中心まわりで回動させた際に、前記第２のガイド部の他端が前記固定ガイド部から離間するように、前記第２のガイド部を回動させる、
ことを特徴とする請求項６に記載のシート搬送装置。
【請求項８】
前記装置本体に固定され、前記第１のガイド部及び前記第２のガイド部と対向する固定ガイド部を備え、
前記アームは、前記第１のガイド部に固定された固定部と、前記固定部から延出し、前記固定ガイド部から離間する方向に屈曲して回動可能に前記装置本体に支持された延出部と、を有する、
ことを特徴とする請求項６に記載のシート搬送装置。
【請求項９】
装置本体に固定された固定ガイド部と、
前記固定ガイド部に対向して配置された第１のガイド部と、
前記固定ガイド部に対向し、前記第１のガイド部とシート搬送方向に並設された第２のガイド部と、
前記第１のガイド部を回動自在に支持するフレームと、
前記固定ガイド部に対して接離するように前記第２のガイド部をスライド移動可能に案内する案内部と、を備え、
前記第１のガイド部を前記フレームに対して回動させたとき、前記第１のガイド部の端部が、前記第２のガイド部に接して前記第２のガイド部をスライド移動するように押圧する、
ことを特徴とするシート搬送装置。
【請求項１０】
前記第１のガイド部に設けられ、前記第１のガイド部と一体に回動可能に前記装置本体に支持され、前記第１のガイド部を開閉するアームを、さらに備え、
前記アームは、前記第１のガイド部に固定された固定部と、前記固定部から延出し、前記固定ガイド部から離間する方向に屈曲して回動可能に前記装置本体に支持された延出部と、を有する、
ことを特徴とする請求項９に記載のシート搬送装置。
【請求項１１】
シートに画像を形成する画像形成部と、前記画像形成部にシートを搬送する請求項１乃至１０のいずれか１項に記載のシート搬送装置と、を備えた、
ことを特徴とする画像形成装置。
【手続補正２】
【補正対象書類名】明細書
【補正対象項目名】００１１
【補正方法】変更
【補正の内容】
【００１１】
本発明のシート搬送装置は、装置本体に固定された固定ガイド部と、前記固定ガイド部に対向して配置された第１のガイド部と、前記固定ガイド部に対向し、且つ前記第１のガイド部とシート搬送方向に並設された第２のガイド部と、を有し、前記固定ガイド部と前記第１のガイド部と前記第２のガイド部とによってシートが搬送されるシート搬送路が形成され、前記第１のガイド部と前記第２のガイド部とがそれぞれ独立に移動可能なシート搬送装置であって、前記シート搬送路を開放するように前記第１のガイド部を移動させる際に、前記第２のガイド部を前記固定ガイド部から離間するように移動させる移動機構を備えた、ことを特徴とするものである。
また、本発明のシート搬送装置は、搬送されるシートをガイドする第１のガイド部と、前記第１のガイド部がガイドするシートの面と同じ面をガイドする第２のガイド部と、前記第１のガイド部及び前記第２のガイド部を保持するアームと、第１の回動中心を中心に前記アームを回動自在に支持するフレームと、前記第２のガイド部と突き当たる突き当て部と、を備え、前記突き当て部は、前記アームと前記第１のガイド部と前記第２のガイド部とを一体的に前記第１の回動中心を中心にして回動させている途中で、前記第２のガイド部が突き当る位置に配置され、前記アームは、前記第１の回動中心を中心とした回動動作で前記第２のガイド部が前記突き当て部に突き当たり押圧されて第２の回動中心を中心に回動するよう、前記第２のガイド部を回動自在に支持している、ことを特徴とするものである。
また、本発明のシート搬送装置は、装置本体に固定された固定ガイド部と、前記固定ガイド部に対向して配置された第１のガイド部と、前記固定ガイド部に対向し、前記第１のガイド部とシート搬送方向に並設された第２のガイド部と、前記第１のガイド部を回動自在に支持するフレームと、前記固定ガイド部に対して接離するように前記第２のガイド部をスライド移動可能に案内する案内部と、を備え、前記第１のガイド部を前記フレームに対して回動させたとき、前記第１のガイド部の端部が、前記第２のガイド部に接して前記第２のガイド部をスライド移動するように押圧する、ことを特徴とするものである。
【手続補正３】
【補正対象書類名】明細書
【補正対象項目名】００１３
【補正方法】変更
【補正の内容】
【００１３】
本発明によれば、第２のガイド部が固定ガイド部から離間する方向に移動するので、第１のガイド部の回動量を大きくとらなくても、シート搬送路にジャムしたシートの視認性を向上させることができる。そして、ジャムしたシートを取り除く際には、シートを容易に取り除くことができる。
【手続補正４】
【補正対象書類名】明細書
【補正対象項目名】００７４
【補正方法】変更
【補正の内容】
【００７４】
これにより、第２のガイド部２２は、案内部３２のガイド軸３２ａ，３２ｂに案内されながら、固定ガイド部２３と平行な状態を保持しつつ、固定ガイド部２３から離間する方向にスライドする。そして、開閉ガイド部２０を最大に開放した場合、開閉ガイド部２０は、固定ガイド部２３に対向して配置した開時保持マグネット３１に吸着されてその開放状態が保持される。